(57)【要約】【課題】漏電あるいは感電を防止する安全装置を備えると共に、待機時の消費電力を少なくすること。【解決手段】高周波発生器１２を制御する制御手段１３と、高周波発生器１２と制御手段１３に電源を供給する電路９ａと、電路９ａに流れる不平衡電流を検出する零相変流器１８と、零相変流器１８からの信号により漏電の有無を判定する漏電判定手段１９と、電路を開閉するリレー１０と、リレー１０に並列に接続されたスイッチ２０とを備え、制御手段１３は、リレー１０が開の待機状態中にスイッチ２０が閉されて電源供給が開始されて動作を開始し、漏電判定手段１９で漏電ありと判定されればリレー１０を開することにより、制御手段１３及び負荷への通電が遮断され漏電あるいは感電の危険性を低減すると共に待機時の消費電力を削減することができる。【選択図】図２
2007059308.tif 000002
【特許請求の範囲】
【請求項１】
負荷と、前記負荷を制御する制御手段と、前記負荷と制御手段に電源を供給する電路と、前記電路に流れる不平衡電流を検出する電流検出器と、前記電流検出器からの信号により漏電の有無を判定する漏電判定手段と、前記電路を開閉する主たる開閉器と、前記主たる開閉器に並列に接続されたスイッチとを備え、前記制御手段は、前記主たる開閉器が開の待機状態中に前記スイッチが閉されて電源供給が開始されて動作を開始し、前記漏電判定手段で漏電なしと判定した場合、前記主たる開閉器を閉することで前記スイッチが開しても以降の動作が継続されると共に、前記主たる開閉器を開することで待機状態となることを特徴とする電気機器。
【請求項２】
制御手段は、漏電判定手段で漏電ありと判定した場合に主たる開閉器を開するようにした請求項１記載の電気機器。
【請求項３】
制御手段は、所定時間、状態が遷移ない場合に主たる開閉器を開するようにした請求項１記載の電気機器。
【請求項４】
制御手段は、所定時間が経過しなくても漏電判定手段で漏電ありと判定した場合に主たる開閉器を開するようにした請求項３記載の電気機器。
【請求項５】
制御手段は、報知手段を備え、漏電判定手段で漏電ありと判定した場合に報知を行うと共に、主たる開閉器を開するようにした請求項１または４記載の電気機器。
【請求項６】
制御手段は、記憶手段を備え、漏電判定手段で漏電ありと判定した場合にその情報を前記記憶手段に記憶することで制御手段から前記情報を取り出せるようにした請求項１記載の電気機器。
【請求項７】
制御手段は、記憶手段と報知手段を備え、漏電判定手段で漏電ありと判定した場合にその情報を前記記憶手段に記憶すると共に、漏電判定手段で漏電なしと判定した場合でも、前記記憶手段に記憶した前記情報を報知するようにした請求項１記載の電気機器。
【請求項８】
制御手段は、マイクロコンピュータを備え、前記マイクロコンピュータには予め決められた条件で電路に繋がれた負荷を動作させ、漏電判定手段の判定が正常かどうかをチエックする検査プログラムを備え、所定の操作により検査プログラムを実行するようにした請求項１記載の電気機器。
【請求項９】
制御手段には、報知手段を備え、前記検査プログラムを実行した結果を報知するようにした請求項８記載の電気機器。
【発明の詳細な説明】
【技術分野】
【０００１】
本発明は待機時の消費電力を少なくした電気機器で、特に水を使ったりスチームが発生したりする調理器の漏電あるいは感電を防止する安全装置に関するものである。
【背景技術】
【０００２】
従来、この種の電気機器として電子レンジでは、本体にアース端子を設けこれを接地して使用するようにして使用者が感電事故を起す危険を防止している。また、電子レンジ本体に設けられたアース端子を確実に接地されていない場合を想定して漏電遮断機能を搭載しているものもある（例えば、特許文献１参照）。
【０００３】
図５は、特許文献１に記載された従来の電子レンジの回路図を示すものである。図５に示すように、高圧トランス１０１およびコンデンサ１０２、ダイオード１０３で構成する電源回路で発振するマグネトロン１０４と、低圧トランス１０５により電力を供給して動作するコントロール基板１０６と、電源と高圧トランス１０１の接続を開閉するリレー１０７と、電源とリレー１０７との間の電源線路に取り付けられた零相変流器１０８とから構成され、コントロール基板１０６からの制御信号でリレー１０７を動作させ、高圧トランス１０１に電力を供給することでマグネトロン１０４が発振し、食品を加熱するものである。また、コントロール基板１０６では、零相変流器１０８で検出される不平衡電流を監視することで漏電検出を行っており、漏電を検出した場合、直ちにリレー１０７を開させ漏電電流を遮断するようにしている。
【特許文献１】特開昭５８−１７５２８２号公報
【発明の開示】
【発明が解決しようとする課題】
【０００４】
しかしながら、最近では、電気機器の待機電力は１Ｗ以下に抑えることが一般的な要求となっており、さらに時計機能を持たない電子レンジにあっては待機電力を５０ｍＷ以下にすることが要求されるなど、待機電力を限りなく０に近づける取り組みがなされている。前記従来の構成では、コントロール基板である制御手段に電力が常に供給されており制御手段を構成するマイクロコンピュータ及びその周辺回路、更には、漏電検出するための回路等での電力の消費が発生するので、待機電力を５０ｍＷ以下に抑えることが難しいという課題を有していた。また、外郭に金属を使用した電気機器で、コントロール基板と外郭の金属部との間で漏電が発生した場合、電源コンセントを抜かない限り漏電を防ぐことができないという課題も有していた。
【０００５】
本発明は、前記従来の課題を解決するもので、漏電あるいは感電を防止する安全装置を備えると共に、待機時の消費電力を少なくした電気機器を提供することを目的とする。
【課題を解決するための手段】
【０００６】
前記従来の課題を解決するために、本発明の電気機器は、負荷と、前記負荷を制御する制御手段と、前記負荷と制御手段に電源を供給する電路と、前記電路に流れる不平衡電流を検出する電流検出器と、前記電流検出器からの信号により漏電の有無を判定する漏電判定手段と、前記電路を開閉する主たる開閉器と、前記主たる開閉器に並列に接続されたスイッチとを備え、前記制御手段は、前記主たる開閉器が開の待機状態中に前記スイッチが閉されて電源供給が開始されて動作を開始し、前記漏電判定手段で漏電なしと判定した場合、前記主たる開閉器を閉することで前記スイッチが開しても以降の動作が継続されると共に、前記主たる開閉器を開することで待機状態となるようにしたものである。
【０００７】
これによって、待機状態では、制御手段への電力の供給がオフされているため制御手段での電力消費をなくすことができる。また、万が一負荷または制御手段で漏電が発生しても主たる開閉器をオフすることで感電を防止することができるようになる。
【０００８】
また、本発明の電気機器は、報知手段を備え、漏電判定手段で漏電ありと判定した場合に報知を行うと共に、主たる開閉器を開するようにしたものである。
【０００９】
これによって、使用者に漏電が発生していることを報知することができる。
【００１０】
また、本発明の電気機器は、記憶手段と報知手段を備え、漏電判定手段で漏電ありと判定した場合にその情報を記憶手段に記憶すること共に、漏電判定手段で漏電ありと判断された場合でも、記憶手段に記憶した情報を表示などで報知するようにしたものである。
【００１１】
これによって、漏電が発生した動作状態を記憶手段に記憶することができるので、漏電箇所の修理の手がかりにすることができる。
【００１２】
また、本発明の電気機器は、マイクロコンピュータを備え、前記マイクロコンピュータには予め決められた条件で電路に繋がれた負荷を動作させ、漏電判定手段の判定が正常かどうかをチエックする検査プログラムを備え、所定の操作により検査プログラムを実行するようにしたものである。
【００１３】
これによって、電路に繋がれた全ての負荷の漏電の有無を簡単な操作で確認することができる。
【発明の効果】
【００１４】
本発明の電気機器は、漏電あるいは感電を防止する安全装置を備えると共に、待機時の消費電力を少なくすることができる。
【発明を実施するための最良の形態】
【００１５】
第１の発明は、負荷と、前記負荷を制御する制御手段と、前記負荷と制御手段に電源を供給する電路と、前記電路に流れる不平衡電流を検出する電流検出器と、前記電流検出器からの信号により漏電の有無を判定する漏電判定手段と、前記電路を開閉する主たる開閉器と、前記主たる開閉器に並列に接続されたスイッチとを備え、前記制御手段は、前記主たる開閉器が開の待機状態中に前記スイッチが閉されて電源供給が開始されて動作を開始し、前記漏電判定手段で漏電なしと判定した場合、前記主たる開閉器を閉することで前記スイッチが開しても以降の動作が継続されると共に、前記主たる開閉器を開することにより、前記制御手段及び前記負荷への通電が遮断され漏電あるいは感電の危険性を低減すると共に待機時の消費電力を削減することができる。
【００１６】
第２の発明は、特に、第１の発明の制御手段は、漏電判定手段で漏電ありと判定した場合に主たる開閉器を開することにより、前記制御手段及び前記負荷への通電が遮断され漏電あるいは感電の危険性を低減することができる。
【００１７】
第３の発明は、特に、第１の発明の制御手段は、所定時間、状態が遷移ない場合に主たる開閉器を開することにより、自動的に制御手段への電力供給がオフするようになり自動電源オフ機能とすることができる。
【００１８】
第４の発明は、特に、第３の発明の制御手段は、所定時間が経過しなくても漏電判定手段で漏電ありと判定した場合に主たる開閉器を開することにより、前記制御手段及び前記負荷への通電が遮断され漏電あるいは感電の危険性を低減することができる。
【００１９】
第５の発明は、特に、第１または第４の発明の制御手段は、報知手段を備えることにより、漏電判定手段で漏電ありと判定した場合に報知を行うと共に、主たる開閉器を開することができる。
【００２０】
第６の発明は、特に第１の発明の制御手段は、記憶手段を備えることにより、漏電判定手段の信号が正常でない場合にその情報を記憶手段に記憶することにより制御手段からエラー情報を取り出すことができる。
【００２１】
第７の発明は、特に、第１の発明の制御手段は、記憶手段と表示手段を備えることにより、漏電判定手段で漏電ありと判定した場合にその情報を記憶手段に記憶すると共に、漏電判定手段の信号が正常な場合には、記憶手段に記憶した前記情報を報知することにより、過去に発生した漏電の発生を知ることができる。
【００２２】
第８の発明は、特に、第１の発明の制御手段は、マイクロコンピュータを備え、前記マイクロコンピュータには予め決められた条件で電路に繋がれた負荷を動作させ、漏電判定手段の判定が正常かどうかをチエックする検査プログラムを備えることにより、所定の操作により検査プログラムを実行することで、漏電検査を実施することができる。
【００２３】
第９の発明は、特に、第８の発明の制御手段は、報知手段を備えることにより、前記検査プログラムを実行した結果を報知することができる。
【００２４】
以下、本発明の実施の形態について、図面を参照しながら説明する。なお、この実施の形態によって本発明が限定されるものではない。
【００２５】
（実施の形態１）
図１は、本発明の第１の実施の形態における電子レンジの外観図を示すものである。
図１において、本体１の前面にはドア２が開閉自在に設けている。３は操作パネルであり、表示部４、キーボード５、電源入りキー６を設けている。本体１に設けたアース端子７にはアース線８を接続し本体１を接地している。９は電源ケーブルである。
【００２６】
図２は、本発明の第１の実施の形態における電子レンジの回路図を示すものである。
【００２７】
図２において、電源は電源ケーブル９から本発明の主たる開閉器であるリレー１０の接点と、リレー１１の接点を介して被加熱物である食品を加熱するためのマイクロ波を発生させるマグネトロン等から構成される高周波発生器１２に接続されている。本発明の負荷は、本発明の第１の実施の形態では高周波発生器１２を示している。１３は、制御手段であり、低圧トランス１４により電力を供給している。制御手段１３には、マイクロコンピュータ１５、キーボード５、報知手段としての表示部４及び記憶手段１６が設けられており、マイクロコンピュータ１５では、外部から入力されるキーボード５からの信号の処理及び表示部４の表示処理、リレー１０及び１１の動作を制御している。１７は、本体１のアース線８で接地された外郭である。電源ケーブル９から引き込まれた電路９ａには、電流検出器である零相変流器１８が設けられ、これにより電路９ａの不平衡電流の発生を検出する。不平衡電流は、零相変流器１８以降の電路９ａから供給される電流が、電路９ａ及び電路９ａに繋がれた負荷である高周波発生器１２および制御手段１３等の絶縁劣化或いは地絡により、本体１の外郭１７及び外郭１７に接続されたアースより漏れることにより発生する。１９は、零相変流器１８の出力をマイクロコンピュータ１５が判定できる信号レベルに変換する漏電判定手段である。例えば、漏電判定手段１９は、不平衡電流が１０ｍＡを超える場合には、マイクロコンピュータ１５の電源電圧であるＶｄｄレベルの出力電圧が出力される。１０ｍＡ以下の場合には、マイクロコンピュータ１５の基準電位の
Ｖｓｓレベルの出力電圧が出力されるようにしてある。この漏電判定手段１９の出力信号に基づきマイクロコンピュータ１５で漏電の有無を検知することができる。また、この不平衡電流の電流値は、漏電を検出してからリレー１０の接点が開するまでの動作時間等の条件を加味し、人体への影響がない値に設定されるものである。２０は、リレー１０の接点に並列に接続されたスイッチで、スイッチ２０は、本体１に設けられた電源入りキー６を押すことで閉するようにしている。
【００２８】
以上のように構成された電子レンジについて、以下その動作、作用を説明する。
【００２９】
まず、リレー１０の接点が開の状態においては、制御手段１３及び高周波発生器１２は無通電で電子レンジは待機状態にある。使用者が、電子レンジを使用する場合、まず、電源入りキー６を押すことでスイッチ２０が閉し、制御手段１３に低圧トランス１４から電力が供給され制御手段１３が動作する。制御手段１３に設けられたマイクロコンピュータ１５は、漏電判定手段１９の出力信号により漏電の発生がない場合に、リレー１０の接点を閉じる。リレー１０の接点が閉じることにより制御手段１３には以降、電力が供給され動作が継続する。
【００３０】
次に、使用者は、キーボード５により、調理モード及び加熱時間を入力し、キーボード５よりスタート入力することによってマイクロコンピュータ１５の出力により、リレー駆動部２１ｂがリレー１１の接点を閉する。これにより、高周波発生器１２に電力が供給されマイクロ波が発生されるこで食品が加熱される。調理が終了するとマイクロコンピュータ１５は、リレー１１の接点を開する。使用者は、全ての調理が終了し、電子レンジを待機状態にする場合には、キーボード５より電源オフ入力をすることでリレー１０の接点を開する。これにより、電子レンジは、待機状態となる。
【００３１】
また、電源オフ入力の煩わしさ或いは電子レンジ使用終了後の電源オフ入力忘れを防ぐために、例えば、使用者が、キーボード５の入力操作に不便が発生しない待ち時間を設け、この所定時間の間、使用者が無操作の場合に、マイクロコンピュータ１５によりリレー１０の接点を開し、電子レンジを待機状態とする自動電源オフ機能を持たせることもできる。
【００３２】
また、リレー１０の接点か閉された動作中において漏電判定手段が漏電の発生を判定した場合、直ちにマイクロコンピュータ１５は、リレー１０の接点をオフすることで、安全性を向上することができる。
【００３３】
さらに、本実施の形態では、マイクロコンピュータ１５の故障した場合に備え、漏電判定手段の出力信号をリレー駆動部２１ａに出力する構成としており、漏電判定手段の出力信号がＶｄｄレベルの信号を出力した場合は、リレー駆動部２１ａはマイクロコンピュータ１５からの出力信号に関係なく漏電判定手段１９の出力信号によりリレー１０の接点を開させることができる。
【００３４】
また、漏電判定手段１９が漏電の発生を判定した場合に、マイクロコンピュータ１５は、表示部４にエラー表示を表示すると共に、リレー１０の接点が閉されている場合には、リレー１０の接点を開することで電路９ａを切り離し漏電箇所への電力の供給を停止する。リレー１０の接点が開されても、しばらくの間は、制御手段１３へ電力を供給していた低圧トランス１４の二次側に設けられた平滑用のコンデンサ等のバックアップにより制御手段１３は、表示部４にエラー表示を表示し続けることにより使用者に対し漏電の発生を報知できる。このエラー表示を出し続ける時間は、前記平滑用のコンデンサの容量を上げることで容易に延ばすことができる。また、エラーの表示する時間を更に延ばしたい場合には、専用の漏電表示部と漏電表示部専用のバックアップ電源を設てもよい。制御手段１
３は、制御手段１３の動作可能な電源電圧を下回ると停止し、待機状態となる。
【００３５】
また、漏電判定手段１９が漏電の発生を判定した場合に、マイクロコンピュータ１５は、表示部４にエラー表示を表示すると共にエラー情報を制御手段１３に設けられた記憶手段１６に記憶させ、リレー１０の接点が閉されている場合には、リレー１０の接点を開することで電路９ａを切り離し漏電箇所への電力の供給を停止する。
【００３６】
さらに、マイクロコンピュータ１５による前記エラー表示及び記憶手段１６への記憶は、リレー１０の接点が閉されている場合には、先にリレー１０の接点を開させ、制御手段１３へ電力を供給していた低圧トランス１４の二次側に設けられた平滑用のコンデンサ等のバックアップにより制御手段１３が動作が継続している間に行うことにより、より素早く電路９ａを切り離し漏電箇所への電力の供給を停止することができる。
【００３７】
また、電子レンジ等の調理器は、調理中に食品によっては大量の水蒸気が発生するため、その水蒸気により一時的に電気部品に結露が発生し、場所によっては、漏電等が発生することが考えられる。漏電が発生すると漏電判定手段１９の出力信号に基づき、マイクロコンピュータ１５は、リレー１０の接点を開し、制御手段１３が停止し待機状態となる。こうした結露の場合には、一時的な漏電現象となる場合が多く時間の経過と共に漏電が解消されてしまい、使用者が近くにいなければ、漏電の発生を見落とす場合がある。こうした場合に、再び、電源入りキー６を操作し、電子レンジを動作させた場合、漏電判定手段１９は、漏電の発生を検出することがなく、正常に動作する。こうした現象は、場合によっては、再現のしない不良としてクレームとして取り扱われることがある。こうした場合に備え、予め、制御手段１３に設けられた記憶手段１６にエラーの内容を記憶することで、使用者或いは、修理を行うサービスマンは、キーボード５より、エラーを呼び出す入力を行うことで発生したエラーの内容を呼び出すことができる。
【００３８】
以上のように、本実施の形態においては電子レンジが待機状態の場合、負荷及び制御手段への電路をリレー等の主たる開閉器で切り離すことにより、漏電或いは感電からの危険性を低減できると共に、不要な電力消費が発生しないため待機電力を少なくすることができる。
【００３９】
また、本実施の形態では電源入りキー６を設け、電源入りキー６を押すことでスイッチ２０が閉し、制御手段１３に電力が供給され、電子レンジが動作するようにしたが、ドア２を開することでスイッチ２０が閉するようにすることにより、電源入りキー６が不要となり、調理の度に電源入りキーを押す煩わしさをなくすこともできる。
【００４０】
（実施の形態２）
図３は、本発明の第２の実施の形態の電子レンジの回路図である。実施の形態１と同一符号のものは説明を省略する。実施の形態１との違いは、本発明の負荷が複数存在する場合で、本実施の形態では、高周波発生器１２以外にヒーター２２を設けている。これにより、オーブンやグリル機能を付加している。高周波発生器１２及びヒーター２２は、リレー１１、リレー２３、リレー２４の開閉により動作或いは通電できる。これらのリレーは、マイクロコンピュータ１５の制御信号を受けたリレー駆動部２１ｃにより駆動される。
【００４１】
次に、食品をマイクロ波で高周波加熱する場合には、リレー１１を閉して、高周波発生器１２に電力を供給することによりマイクロ波を発生させ食品に照射する。食品をヒーターの熱で加熱する場合には、リレー２３及び２４を閉して、ヒーター２２に電力を供給することによりヒーターが発熱し食品を加熱する。
【００４２】
このような構成において、例えば、ヒーター２２と外郭１７の絶縁が劣化していた場合
には、リレー２３及び２４が閉しなければ、ヒーター２２が通電されないため、漏電を検出することができない。そこで、予め、マイクロコンピュータ１５に検査用のプログラムを記憶し、キーボード５より、検査用プログラムの実行を指示する入力を行うことにより、全ての負荷を自動で切り替え、動作させることで、ヒーター２２、高周波発生器１２で漏電が発生していないか検査することができる。本実施例では負荷が、ヒーターと高周波発生器の２つの場合で説明したが、更に複数の負荷を使用した機器の場合、より有効となってくる。また、検査中に漏電を検出した場合に、表示部４に動作中の負荷と漏電の発生を報知するエラー表示を出すことで、漏電の発生箇所の特定に有効な情報となる。
【００４３】
（実施の形態３）
図４は、制御手段への電路に主たる開閉器を設けた電子レンジの回路図である。実施の形態１と同一符号のものは説明を省略する。実施の形態１との違いは、本発明の主たる開閉器であるリレー２５を制御手段１３への電路９ａに設け、負荷である高周波発生器１２を電路よりリレー２６及び１１を介して接続するようにしたことである。
【００４４】
以上のように構成された電子レンジについて、以下その動作、作用を説明する。
【００４５】
まず、リレー２５の接点が開の状態においては、制御手段１３及び高周波発生器１２は無通電で電子レンジは待機状態にある。使用者が、電子レンジを使用する場合、まず、電源入りキー６を押すことでスイッチ２０が閉し、制御手段１３に低圧トランス１４から電力が供給され制御手段１３が動作する。制御手段１３に設けられたマイクロコンピュータ１５は、漏電判定手段１９の出力信号により漏電の発生がない場合に、リレー２５の接点を閉じる。リレー２５の接点が閉じることにより制御手段１３には以降、電力が供給され動作が継続する。
【００４６】
次に、使用者は、キーボード５により、調理モード及び加熱時間を入力し、キーボード５よりスタート入力することによってマイクロコンピュータ１５の出力により、リレー駆動部２１ｄがリレー１１及び２６の接点を閉する。これにより、高周波発生器１２に電力が供給されマイクロ波が発生されるこで食品が加熱される。調理が終了するとマイクロコンピュータ１５は、リレー１１及び２６の接点を開する。使用者は、全ての調理が終了し、電子レンジを待機状態にする場合には、キーボード５より電源オフ入力をすることでリレー２５の接点を開する。これにより、電子レンジは、待機状態となる。
【００４７】
また、電源オフ入力の煩わしさ或いは電子レンジ使用終了後の電源オフ入力忘れを防ぐために、例えば、使用者が、キーボード５の入力操作に不便が発生しない待ち時間を設け、この所定時間の間、使用者が無操作の場合に、マイクロコンピュータ１５によりリレー２５の接点を開し、電子レンジを待機状態とする自動電源オフ機能を持たせることもできる。
【００４８】
また、リレー２５の接点か閉された動作中において漏電判定手段が漏電の発生を判定した場合、直ちにマイクロコンピュータ１５は、リレー２５の接点をオフすることで、安全性を向上することができる。
【００４９】
また、高周波加熱中に、漏電判定手段１９が漏電の発生を判定した場合には、リレー１１及び２６を開して、高周波発生器１２への通電を停止すると共に、表示部４にエラー表示を表示する。更に、高周波発生器１２への通電を停止しても、漏電判定手段１９が漏電の発生を判定した場合にはリレー２５を開し、電子レンジの動作を停止する。
【００５０】
以上のように、本実施の形態においては電子レンジが待機状態の場合、制御手段への電路を主たる開閉器で切り離すと共に負荷は別のリレー等の開閉器で電路より切り離すこと
により、漏電或いは感電からの危険性を低減できると共に、不要な電力消費が発生しないため待機電力を少なくすることができる。
【産業上の利用可能性】
【００５１】
以上のように、本発明にかかる電気機器は、漏電あるいは感電を防止する漏電遮断機能の効果を損ねることなく、待機時おける漏電検出回路の電力消費をなくすことが可能となるので、漏電遮断機能を備え、待機時の消費電力を少なくすることが必要な家電機器や、従来、機器に備わっている漏電対策の代わりに、新たに漏電遮断機能を搭載し、且つ、待機時の消費電力を極力少なくする必要のある家電機器等の用途にも適用できる。
【図面の簡単な説明】
【００５２】
【図１】本発明の実施の形態１における電子レンジの外観図
【図２】本発明の実施の形態１における電子レンジの回路図
【図３】本発明の実施の形態２における電子レンジの回路図
【図４】本発明の実施の形態３における制御手段への電路に主たる開閉器を設けた電子レンジの回路図
【図５】従来の電子レンジの回路図
【符号の説明】
【００５３】
４  表示部（報知手段）
９ａ  電路    
１０、２５  リレー（主たる開閉器）
１２  高周波発生器（負荷）
１３  制御手段
１５  マイクロコンピュータ
１６  記憶手段
１８  零相変流器（電流検出器）
１９  漏電判定手段
２０  スイッチ
２２  ヒータ（負荷）
【図１】
2007059308.tif 000003
【図２】
2007059308.tif 000004
【図３】
2007059308.tif 000005
【図４】
2007059308.tif 000006
【図５】
2007059308.tif 000007